(57)【特許請求の範囲】
【請求項１】
送信パルス信号を生成する送信機と、この送信パルス信号の一部を分離し出力する結合手段と、この分離出力された送信パルス信号を所定の時間幅を有するゲートを通して抽出するゲート手段と、このゲートを通して抽出された送信パルス信号のレベルを所定のしきい値と比較する比較手段と、この比較結果に基づいて上記ゲート手段のゲートの設定位置を変更するサーチ手段とを備えたことを特徴とするドップラレーダ装置。
【請求項２】
上記サーチ手段は、ゲート時間内で送信パルス信号をサンプリングし、このサンプリングデータを用いて送信パルス信号の位置を算出することを特徴とする請求項１に記載のドップラレーダ装置。
【請求項３】
上記サーチ手段は、所定のゲート設定範囲を有し、このゲート設定範囲内で上記ゲートの設定位置を変更することを特徴とする請求項１に記載のドップラレーダ装置。
【請求項４】
前記サーチ手段は、複数ヒットのサンプリングデータを用いて送信パルス信号のトラッキングを行なうことを特徴とする請求項２に記載のドップラレーダ装置。
【請求項５】
ゲート設定範囲外にゲートの設定位置を手動または自動で移行するＨＵＮＴ回路を備えたことを特徴とする請求項２に記載のドップラレーダ装置。
【請求項６】
上記ＨＵＮＴ回路は、あらかじめ登録されたゲート移行位置に上記ゲートを移行することをことを特徴とする請求項５に記載のドップラレーダ装置。
【発明の詳細な説明】
【０００１】
【発明の属する技術分野】
本発明は、種々の気象観測を目的とするドップラレーダ装置に関し、特に送信管にマグネトロンを使用したドップラレーダ装置に関するものである。
【０００２】
【従来の技術】
従来の技術による、送信管にマグネトロンを使用したドップラレーダ装置のバースト信号検出回路を図１１に示す。図１１において、410は空中線、420は送信機、421はマグネトロン、422は変調器、431は方向性結合器、432はサーキュレータ、440は信号処理装置である。441はバースト信号検出回路であって、141のバーストゲート回路、144のAFC（Automatic  Frequency  Control）から構成されている。442はトリガ発生回路、450は受信機であって、451の発信器、452のミキサから構成されている。
【０００３】
次に動作について説明する。トリガ発生回路442から出力される送信トリガに同期して、変調器422から供給される電流により、マグネトロン421が発振し、ここで発生した送信パルスは、方向性結合器431、サーキュレータ432を通り、空中線410より放射される。目標で反射された送信パルスは、再び空中線410より受信されてサーキューレータ432を通り、受信信号となる。一方、送信パルスの一部を方向性結合器431により取り出し、バースト信号検出回路441のバーストゲート内に発生した送信パルスによりAFC144では周波数及び位相の検出を行ないマグネトロン421の周波数制御ならびに、ミキシング用の発信器451の周波数制御を行なう。受信信号と、発信器451の出力信号をミキサ452でミキシングし、その後位相検波処理を行なう。
【０００４】
図１２は、図１１に示す従来のマグネトロンを使用した気象ドップラレーダ装置の制御フローを示すものである。マグネトロン421で発生した送信パルスの一部が方向性結合器431で分離され、バーストゲート141で受信される（ステップ１２１）。バーストゲート141では、この分離された送信パルスが、あらかじめその時間的な位置が設定されているバーストゲート内に発生していることの要否を確認する（ステップ１２２）。正常なタイミングで送信している場合には、AFC144により送信周波数、位相差を検出し、マグネトロン421及び発信器451の制御が行われ、観測が開始され、信号処理装置からデータが出力される（ステップ１２３、１２４）。送信パルスがバーストゲート外に発生している場合には、マグネトロン421の動作が安定し、送信パルスがバーストゲート内に発生するまで待ち（ステップ１２５）、観測を開始することを示している（ステップ１２４、１２２）。
【０００５】
【発明が解決しようとする課題】
従来の、送信管にマグネトロンを使用した気象ドップラレーダ装置は、変調器の特性により電源投入時のマグネトロンによる送信パルスの発振タイミングが大きくずれることがあり、送信パルスが固定のバーストゲート範囲外に発生することがある。そのため、送信パルスを検波できない場合が発生し、マグネトロンの周波数制御ならびに発信器の制御が正常にできない場合が発生し、運用に支障をきたす問題があった。そのため、送信タイミングが固定のバーストゲート範囲内に安定するまでの時間、観測を待つ必要があった。
【０００６】
また、送信パルスの発振タイミングがずれる場合、あるいは安定せずジッタする場合においては、システムにおける「レンジ０」（送信タイミングの基準時刻であり、レーダ観測の基準となるタイミング）がずれてしまい、正確なタイミングの測定ができないという問題があった。
【０００７】
この発明は、上記のような問題点を解消するためになされたもので、従来のマグネトロン、変調器を使用しても常に安定したシステムの運用といかなる状態であっても観測を可能にすることを目的とする。
【０００８】
【課題を解決するための手段】
この発明の請求項１に係るドップラレーダ装置は、送信パルス信号を生成する送信機と、この送信パルス信号の一部を分離し出力する結合手段と、この分離出力された送信パルス信号を所定の時間幅を有するゲートを通して抽出するゲート手段と、このゲートを通して抽出された送信パルス信号のレベルを所定のしきい値と比較する比較手段と、この比較結果に基づいて上記ゲート手段のゲートの設定位置を変更するサーチ手段とを備えたものである。
【０００９】
また、この発明の請求項２に係るドップラレーダ装置は、上記サーチ手段において、ゲート時間内で送信パルス信号をサンプリングし、このサンプリングデータを用いて送信パルス信号の位置を算出するものである。
【００１０】
また、この発明の請求項３に係るドップラレーダ装置は、上記サーチ手段において、所定のゲート設定範囲を有し、このゲート設定範囲内で上記ゲートの設定位置を変更するものである。
【００１１】
また、この発明の請求項４に係るドップラレーダ装置は、上記サーチ手段において、複数ヒットのサンプリングデータを用いて送信パルス信号のトラッキングを行なうものである。
【００１２】
また、この発明の請求項５に係るドップラレーダ装置は、ゲート設定範囲外にゲートの設定位置を手動または自動で移行するＨＵＮＴ回路を備えたものである。
【００１３】
また、この発明の請求項６に係るドップラレーダ装置は、上記ＨＵＮＴ回路において、あらかじめ登録されたゲート移行位置に上記ゲートを移行するものである。
【００１４】
【発明の実施の形態】
上記目的を達成するため、本発明では、送信パルスの発振タイミングのずれやジッタ量に応じてトリガタイミングをずらし、システムの「レンジ０」を固定するために送信パルスを常にモニタし、設定したバーストゲートの範囲内で送信パルスの発振タイミングをトラッキングするとともに、さらにHUNT回路を付加することにより、送信パルスの発振タイミングがバーストゲートの設定範囲に対して大きく逸脱するような場合でも、バーストゲートを実際に送信パルスが発振しているタイミングに移行させ、常に送信パルスをバーストゲートの範囲内に発生させることにより、広範囲にわたり送信パルスをトラッキングできるようにしたものである。
【００１５】
実施の形態１．
以下、この発明の実施の形態１を図について説明する。図１において、410は空中線、420は送信機、421はマグネトロン、422は変調器、431は方向性結合器、432はサーキュレータ、440は信号処理装置である。441はバースト信号検出回路であり、141のバーストゲート回路、142のPower比較回路、143のバーストサーチ回路、144のAFC（Automatic  Frequency  Control）から構成されている。442はトリガ発生回路、450は受信機であって、451の発信器、452のミキサから構成されている。
【００１６】
次に動作について説明する。バースト信号検出回路441の内部の構成品以外は、従来の技術における構成と同じである。トリガ発生回路442から出力される送信トリガに同期して、変調器422から供給される電流により、マグネトロン421が発振し、発生した送信パルスは方向性結合器431、サーキュレータ432を通り、空中線410より放射される。また、目標で反射された送信パルスは、再び空中線410より受信されてサーキューレータ432を通り、受信信号となる。
【００１７】
一方、送信パルスの一部を方向性結合器431により取り出し、バースト信号検出回路441に供給する。バースト信号検出回路441には、バーストゲート回路141が構成されており、バーストサーチ制御回路143から制御されたバーストゲートを設定する。本発明におけるバーストゲート回路141は、外部からの制御信号によりバーストゲートの位置を変更できる点が、図１１に示す従来のバーストゲート回路141と異なる。バーストゲートを通過した送信パルスは、Power比較回路142に入力され、バーストゲート内の送信パルスの送信電力と設定されているスレショルド値とを比較し、バーストゲート内に送信パルスが発生しているか否かの結果をバーストサーチ回路143に送り、バーストサーチ回路143では入力された信号に従い、バーストゲート回路141を制御し、常にバーストサンプリング位置が送信パルスの発生しているタイミングに追従する構成になっている。
【００１８】
また、バーストサーチ回路143は、トリガ発生回路442に送信パルスのバーストゲートに対するタイミングのずれに応じた制御信号を送り、トリガ発生回路442では入力される制御信号に従って、送信機420、バースト信号検出回路441に出力するトリガのタイミングを制御する。
【００１９】
バースト信号の移動検出には、複数ヒットのサンプリングを実施し、送信パルスの移動を検出する。バーストサーチ回路143では、送信パルスを複数ヒットでサンプリングすることにより、常に「レンジ０」の位置を確認することができる。従って、送信パルスの発生タイミングが変動しても、常にトリガ発生回路442はトリガの出力タイミングを制御し、送信パルスの中心が「レンジ０」になるようにフィードバックする回路構成になっている。
【００２０】
図２において、複数のサンプリングによる「レンジ０」検出のタイミングチャートを示す。送信パルスの中心を信号処理装置では処理の開始レンジとし「レンジ０」とするため、図２の「送信タイミング（１）の場合のレンジ０」（上欄）に示す通り、レンジサンプリングの開始は常に送信パルスの中心から始まる必要がある。バーストゲート設定範囲内では複数のヒットによる送信パルスのサンプリングを実施しており、その検出結果より送信パルスがバーストゲート内のどの位置に発生しているか確認することが出来る。検出結果により、トリガ発生回路442から「レンジ０」に応じたレンジサンプリング開始のトリガが生成される。図２の「送信タイミング（２）の場合のレンジ０」（下欄）に、送信パルスの発生位置が異なる場合の例を示す。この場合も上記と同様の動作が行われている。
【００２１】
さらに、バーストサーチ回路143における、バーストゲートの制御系と、トリガ発生回路442におけるトリガの制御系のフィードバックループは常に制御しており、トラッキング機能が働く。同時にバーストゲート回路を通過した送信パルスは、AFC回路144に入力されており、周波数及び位相の検出を行ないマグネトロン421の周波数制御ならびに、受信信号のダウンコンバート用の発信器451の周波数制御を行なう。受信信号と、発信器451の出力をミキサ452でミキシングし、その後位相検波の処理を信号処理装置で行なう。
【００２２】
このため、送信パルスの発振タイミングが、バーストゲート回路141に設定されているバーストゲートの範囲内であれば、上記フィードバックループが常に制御されており、送信パルスは常にトラッキングされるため、送信パルスの発振タイミングに依存せず安定した運用を実現できる。
【００２３】
図３において本発明の実施の形態１による実施例の制御フローチャートを示す。図３は、図１のブロック図で示す本発明の実施の形態１による実施例の制御フローを示すものである。送信パルスがバーストゲート内に発生し、正常なタイミングで送信されている場合の動作は、ステップ３１〜３４のフローとなり、図１２におけるステップ１２１〜１２４と同じである。送信パルスがバーストゲート内に発生していない場合、Power比較回路142で送信パルスのレベルをスレショルド値と比較し、送信パルスをモニタする（ステップ３５）。その結果、バーストサーチ回路143がバーストゲート141に対してバーストゲート設定範囲内で送信パルスにトラッキングするようにフィードバックループが構成される（ステップ３６、３７）。フィードバックループが正常に動作している場合、AFC回路144による周波数制御ならびにトリガ発生回路442による各種タイミングは正常に動作し、正常な観測が実施される（ステップ３２、３３）。また、トリガ発生回路442では、各種トリガのタイミング設定が行われる（ステップ３９）。
【００２４】
バーストサーチ回路143による制御に対して送信パルスがバーストゲート設定範囲外に発生する場合、送信パルスがバーストゲート設定範囲内に内に発生するまで待ち（ステップ３７、３８）、バースト設定範囲内に送信パルスが発生すると、前記のフィードバックループが構成され、正常に観測を開始することを示している（ステップ３２、３３）。
【００２５】
図４において本発明の実施の形態１による実施例のタイミングチャートを示す。図４は図１のブロック図、図３の制御フローチャートで示す本発明の実施の形態１による実施例のタイミングチャートを示すものである。正常時（上欄）の送信パルスはバーストゲート内に発生し、トリガ発生回路442からのレンジサンプリングも送信パルスの中央に発生しており「レンジ０」が正常に設定される。ただし、従来のマグネトロンを使用したバーストゲートの場合、「レンジ０」はバーストゲートの設定に対して固定されており、送信パルスの遅延に対して「レンジ０」をあわせることができず、正常に観測できない状態となっていた。
【００２６】
本発明の実施の形態１による実施例（下欄）では、バーストゲート設定範囲内であれば、バーストゲート141はバーストサーチ回路143によりフィードバックがかかり、バーストゲートの位置が変更される。そして、バーストサーチ回路の制御によりトリガ発生回路442から、送信パルスが発生している位置にレンジサンプリングを出力し正常に観測を開始する。ただし、送信パルスがバーストゲート設定範囲を逸脱した場合には、送信パルスが、バーストゲート設定範囲に発生するまで待ち、送信パルスがバーストゲート設定範囲に入ると前記のフィードバックループにより正常な観測が開始される。
【００２７】
実施の形態２．
以下、この発明の実施の形態２を図について説明する。図５において、410は空中線、420は送信機、421はマグネトロン、422は変調器、431は方向性結合器、432はサーキュレータ、440は信号処理装置、441はバースト信号検出回路であり、141のバーストゲート回路、142のPower比較回路、143のバーストサーチ回路、241のHUNT回路、144のAFC（Automatic  Frequency  Control）から構成されている。442はトリガ発生回路、450は受信機であって、451の発信器、452のミキサから構成されている。260はRCW（Radar  Control  Workstation）ある。
【００２８】
次に動作について説明する。実施の形態１に対して、HUNT回路241とRCW260を追加している。HUNT回路241は、RCW260により手動、自動の切り換えが可能である。通常の運用時には自動が設定されている。自動が選択されている場合について説明する。変調器422とマグネトロン421の組み合わせからバーストゲート回路141に設定したバーストゲートの範囲に対して大きく逸脱するタイミングで送信パルスが発振される場合、実施の形態１でのフィードバックループでは、トラッキングがかけられない状態となる。
【００２９】
バーストサーチ回路143が送信パルスの発振タイミングをトラッキングできなくなると、HUNT回路241が自動的に起動される。HUNT回路241は、送信パルスの発振タイミングを見つけるために強制的にバーストゲートをスイープさせる制御をバーストゲート回路141に出力し、送信パルスの発振タイミングをサーチする。送信パルスの発振タイミングがHUNT回路241によりサーチできた後は、実施の形態１のフィードバックループによりトラッキングする構成となる。
【００３０】
また、トリガ発生回路442の出力信号は、上記送信パルスの発振タイミングをサーチしている間も常時フィードバックがかかっており、送信パルスの発振タイミングが通常のバーストゲートを逸脱している場合にも、送信パルスの中心が「レンジ０」になるように動作している。同様にAFC144のフィードバックループも常時動作しており、周波数制御に関しても常に追従している。
【００３１】
次に、手動が選択されている場合について説明する。送信パルスの発振タイミングがバーストゲート回路141に設定したバーストゲートの範囲を大きく逸脱するタイミングで送信パルスが発振される場合、RCW260からの外部制御によりHUNT回路241を強制的に起動することが可能となる。外部からの制御信号により、上記自動の場合と同じ動作を実現できる構成になっている。手動の場合にも、トリガ発生回路442かつAFC144フィードバックループは、自動の場合と同じ動きをしており、トリガ発生回路442によるトリガ出力の制御により「レンジ０」は確保されており、またAFC144による周波数制御に関しても常に追従している。
【００３２】
そのため、手動から自動に、自動から手動に切り換えても、時間の遅延もなく、何の問題も発生することなく切り換えが行なえる構成になっている。上記の通り、送信パルスの発振タイミングがバーストゲート回路141に設定されているバーストゲートから逸脱する範囲であっても、上記HUNT回路241が動作することにより、送信パルスは常時トラッキングされており、送信パルスの発振タイミングに依存せず安定した運用を実現できる。
【００３３】
図６において本発明の実施の形態２による実施例の制御フローチャートを示す。図６は、図５のブロック図で示す本発明の実施の形態２による実施例の制御フローを示すものである。送信パルスがバーストゲート内に発生し、正常なタイミングで送信されている場合の動作は、ステップ６１〜６４のフローとなり、図３におけるステップ３１〜３４と同じである。送信パルスがバーストゲート設定範囲内に発生していない場合、Power比較回路142で送信パルスのレベルをスレショルド値と比較し、送信パルスをモニタする（ステップ６５）。その結果、バーストサーチ回路143が、HUNT回路241を制御し、HUNT回路241は、バーストゲート141に対してバーストゲートをバーストゲートの設定範囲を超えて送信パルスが発生している位置に移行させる（ステップ６６、７０、６９）。そして、実際に移行させた位置に送信パルスが発生しているかPower比較回路142ならびにバーストサーチ回路で確認を実施しながら、フィードバックループを構成し、送信パルスにバーストゲートがトラッキングするようする（ステップ６６、６７）。
【００３４】
HUNT回路には自動と手動のモードがある。手動の場合には、ON/OFFによりHUNT回路241を動作させるか選択できる（ステップ７１）。HUNT回路が有効な場合、観測を開始したと同時に、送信パルスの位置にバーストゲートがトラッキングし、「レンジ０」のタイミングも常に正常に動作する（ステップ６９）。送信パルスがバーストゲート内で発生するまで待つ必要が発生しない。ただし、HUNT回路が手動の場合に送信パルスがバーストゲート設定範囲を外れた場合には、観測開始まで送信パルスがバーストゲート設定範囲内に発生するまで待つ必要がある（ステップ７１、７２）。ただし、手動により強制的にHUNT回路241を起動させることも可能である。
【００３５】
また、送信パルスがバーストゲート設定範囲外に発生する場合でも、HUNT回路241が正常に動作している場合（ステップ７０、６９）、前記のフィードバックループが構成され、AFC回路144による周波数制御並びにトリガ発生回路442による各種タイミングは正常に動作し、「レンジ０」も常にトラッキングされており、正常な観測が実施されることを示している（ステップ６２、６３）。
【００３６】
図７において本発明の実施の形態２による実施例のタイミングチャートを示す。図７は図５のブロック図、図６の制御フローチャートで示す本発明の実施の形態２による実施例のタイミングチャートを示すものである。正常時の送信パルスはバーストゲート内に発生し、トリガ発生回路442からのレンジサンプリングも送信パルスの中央に発生しており「レンジ０」が正常に設定される。本発明の実施の形態１による実施例では、バーストゲート設定範囲内であれば、バーストゲート141はバーストサーチ回路143によりフィードバックがかかり、バーストサーチ回路の制御によりトリガ発生回路442から、送信パルスが発生している位置にレンジサンプリングを出力し正常に観測を開始するものであった。
【００３７】
また、送信パルスがバーストゲート設定範囲を逸脱した場合には、送信パルスが、バーストゲート設定範囲に発生するまで待つ必要があった（上欄）。そのため、HUNT回路241の制御により、バーストゲートを送信パルスの発生しているタイミングに移行させ、送信パルスをトラッキングするとともに、「レンジ０」の位置を送信パルスの発生しているタイミングから開始するようにフィードバックループにより制御されている（下欄）。
【００３８】
実施の形態３．
以下、この発明の実施の形態３を図について説明する。図８において、410は空中線、420は送信機、421はマグネトロン、422は変調器、431は方向性結合器、432はサーキュレータ、440は信号処理装置、441はバースト信号検出回路であり、141のバーストゲート回路、142のPower比較回路、143のバーストサーチ回路、241のHUNT回路、144のAFC（Automatic  Frequency  Control）、メモリ341から構成され、442はトリガ発生回路、450は受信機であって、451の発信器、452のミキサから構成されている。260はRCWである。
【００３９】
次に動作について説明する。バースト信号検出回路441以外は実施の形態２における構成と全く同じである。実施の形態２に対し、バースト信号検出回路441に、メモリ341を構成する。変調器422とマグネトロン421の組み合わせからバーストゲート回路141に設定したバーストゲートの範囲を大きく逸脱するタイミングで送信パルスが出力されることが予め予想される場合、実施の形態２のフィードバックループでは、トラッキングに時間がかかる可能性が残される。そのために、予めバーストゲートの移行させる時間をメモリ341に記憶させておき、電源投入時にはメモリ341の情報を初期設定値として、HUNT回路241を経由してバーストゲート回路141を制御し、予めバーストゲートを移行させることにより、バーストゲートをサーチする必要がなく、実施の形態２に対してトラッキング時間を高速化することができる。
【００４０】
また、メモリ341の初期設定値はバーストサーチ回路143に設定され、設定された初期設定値はトリガ発生回路442の制御信号となる。トリガ発生回路442の出力信号は、上記初期設定値に従って出力される。トリガ発生回路442の初期設定が完了した後は、送信パルスの中心が「レンジ０」になるようにフィードバックする回路構成になっているため、実施の形態２に従った動作をする。同様にAFC144による周波数制御に関してもメモリ341の初期設定値がバーストサーチ回路143に設定され直後から動作し、常に追従している。
【００４１】
従って、初期設定後は、実施の形態１、実施の形態２の制御によりバーストトラッキングのフィードバックループが動作する。バーストゲートに送信パルスがトラッキングされている場合、常に送信パルスはトラッキングされ、送信パルスの発振タイミングに依存せず安定した運用を実現できる。
【００４２】
図９において本発明の実施の形態３による実施例の制御フローチャートを示す。図９は、図８のブロック図で示す本発明の実施の形態３による実施例の制御フローを示すものである。本発明の実施の形態２に対して、メモリ341の機能が付加されている。観測を開始する前に、予め送信パルスが遅延する時間をメモリに設定しておき、システムに電源を投入したと同時にバーストゲートを送信パルスが発生すると予想される位置に移行させる（ステップ９０）。その後、HUNT回路241のフィードバックループの制御によるフィードバックループの制御により正常な観測を実施されることを示している。
【００４３】
図１０において本発明の実施の形態３による実施例のタイミングチャートを示す。図１０は図８のブロック図、図９の制御フローチャートで示す本発明の実施の形態３による実施例のタイミングチャートを示すものである。送信パルスがバーストゲート設定範囲を逸脱した場合には、HUNT回路241の制御により、バーストゲートを送信パルスの発生しているタイミングに移行させ、送信パルスをトラッキングするとともに、「レンジ０」の位置を送信パルスの発生しているタイミングから開始するようにフィードバックループにより制御されている。ただし、HUNT回路241によるバーストゲートの移行に時間がかかる場合が考えられる。そのため、観測を開始する場合、送信パルスが遅延するタイミングが予想される場合には、メモリに遅延時間を設定しておき、設定されている遅延時間に従ってバーストゲートの設定位置をHUNT回路が制御する前に設置し、その後HUNT回路241のフィードバックループによる制御により正常観測を実施するもので、システムを立ち上げたと同時に遅延なく観測を実施することが出来る（下欄）。
【００４４】
【発明の効果】
以上説明したように、本発明では送信管にマグネトロンを使用している気象ドップラレーダ装置において、バースト信号検出回路を、予め設定されたバーストゲート内でバーストパルスをサーチし、送信パルスの中心を「レンジ０」としてトラッキングすることを特徴とするバースト信号検出回路を備えていること、前記バースト信号検出回路においてバーストゲートの範囲が設定できること、前記バースト信号検出回路においてバーストサーチ機能が常時動作し、複数ヒットのデータを用いてトラッキングを行なうこと、前記バースト信号検出回路においてトリガ発生回路を備えており、送信パルスの発振タイミングに追従したトリガを出力することにより「レンジ０」が設定されること、前記バースト信号検出回路においてHUNT回路を有し、手動及び自動でバーストゲートの設定範囲をサーチし、バーストゲートを移行すること、前記バースト信号検出回路において、バーストゲートの移行させる値を、電源投入時から最適値を設定するためのメモリを備える構成にしたので、従来のマグネトロンならびに変調器を使用しても常に安定したシステムの運用と、いかなる状態、例えば電源投入時の送信パルスの不安定な時間帯であっても観測を可能にする効果がある。
【図面の簡単な説明】
【図１】  本発明の実施の形態１による実施例を示すブロック図である。
【図２】  複数のサンプリングによるレンジ０の検出を示すタイミングチャートである。
【図３】  本発明の実施の形態１による実施例の制御を示すフローチャートである。
【図４】  本発明の実施の形態１による実施例を示すタイミングチャートである。
【図５】  本発明の実施の形態２による実施例を示すブロック図である。
【図６】  本発明の実施の形態２による実施例の制御を示すフローチャートである。
【図７】  本発明の実施の形態２による実施例を示すタイミングチャートである。
【図８】  本発明の実施の形態３による実施例を示すブロック図である。
【図９】  本発明の実施の形態３による実施例の制御を示すフローチャートである。
【図１０】  本発明の実施の形態３による実施例を示すタイミングチャートである。
【図１１】  従来のマグネトロンを使用した気象ドップラレーダ装置を示すブロック図である。
【図１２】  従来のマグネトロンを使用した気象ドップラレーダ装置の制御フローチャートである。
【符号の説明】
141  バーストゲート回路、  142  Power比較回路、  143  バーストサーチ回路、  144  AFC回路、  241  HUNT回路、  260  RCW（Radar  Control  Workstation）、  341  メモリ、  410  空中線、  420  送信機、  421  マグネトロン、  422  変調器、  431  方向性結合器、  432  サーキュレータ、  440  信号処理装置、  441  バースト信号検出回路、  442  トリガ発生回路、  450  受信機、  451  発信器、  452  ミキサ。
【図１】
0003711952.tif 000002
【図２】
0003711952.tif 000003
【図３】
0003711952.tif 000004
【図４】
0003711952.tif 000005
【図５】
0003711952.tif 000006
【図６】
0003711952.tif 000007
【図７】
0003711952.tif 000008
【図８】
0003711952.tif 000009
【図９】
0003711952.tif 000010
【図１０】
0003711952.tif 000011
【図１１】
0003711952.tif 000012
【図１２】
0003711952.tif 000013